(57)【要約】【課題】広がりをもった領域に応じた制御が可能な制御装置を提供する。【解決手段】携帯電話端末１は、横浜駅構内に設けられたＩＤ送出装置２から該装置に記憶された領域ＩＤを受信し、受信された領域ＩＤをメタデータ管理装置３へ送出する。メタデータ管理装置３は、送出された領域ＩＤを基に検索された領域メタデータ等を送出する。携帯電話端末１は、送出された領域メタデータを基に制御情報を生成し、この制御情報により発光素子１０１を点灯／消灯させる。【選択図】      図１
2005012446.tif 000002
【特許請求の範囲】
【請求項１】
制御対象を制御する移動可能な制御装置であって、
移動先に設けられた装置から該装置に対応する同一または同種の領域を示す領域ＩＤを受信する手段と、
前記受信された領域ＩＤを送出する手段と、
前記送出された領域ＩＤを基に検索されて送出及び受信された領域メタデータを基に生成された制御情報により前記制御対象を制御する手段と
を備えることを特徴とする制御装置。
【請求項２】
前記送出された領域ＩＤを基に検索されて送出された領域メタデータを受信する手段と、
前記領域メタデータを基に制御情報を生成する手段と
を備えることを特徴とする請求項１記載の制御装置。
【請求項３】
前記領域の状態を示す状態メタデータを受信する手段を備え、
前記受信された状態メタデータを基に生成された制御情報により制御対象を制御する
ことを特徴とする請求項１または２記載の制御装置。
【請求項４】
制御の方針を示すポリシーメタデータを記憶する手段または当該ポリシーメタデータを受信する手段を備え、
前記記憶または受信されたポリシーメタデータを基に生成された制御情報により制御対象を制御する
ことを特徴とする請求項１ないし３のいずれかに記載の制御装置。
【請求項５】
現在時刻を示す現在時刻メタデータを生成する手段または当該現在時刻メタデータを受信する手段を備え、
前記生成または受信された現在時刻メタデータを基に生成された制御情報により制御対象を制御する
ことを特徴とする請求項１ないし４のいずれかに記載の制御装置。
【請求項６】
制御情報に含まれる制御内容を含んだシナリオを記憶する手段または当該シナリオを受信する手段を備え、
前記記憶または受信されたシナリオを基に生成された制御情報により制御対象を制御する
ことを特徴とする請求項１ないし５のいずれかに記載の制御装置。
【請求項７】
制御対象を制御する移動可能な制御装置が、移動先で同一または同種の領域を示す領域ＩＤを受信及び送出し、該領域ＩＤを基に検索されて送出された領域メタデータを受信し、該領域メタデータを基に制御情報を生成し、該制御情報により前記制御対象を制御する場合の制御支援システムであって、
移動先に設けられた装置に含まれ、該装置に対応する同一または同種の領域を示す領域ＩＤを制御装置に送出する手段と、
前記送出された領域ＩＤを基に検索された領域メタデータを制御装置に送出する手段と
を備えることを特徴とする制御支援システム。
【請求項８】
制御対象を制御する移動可能な制御装置が、移動先で同一または同種の領域を示す領域ＩＤと当該領域の状態を示す状態ＩＤを受信及び送出し、該領域ＩＤ及び状態ＩＤのそれぞれを基に検索されて送出された領域メタデータ及び状態メタデータを受信し、該領域メタデータ及び状態メタデータを基に制御情報を生成し、該制御情報により前記制御対象を制御する場合の制御支援システムであって、
移動先に設けられた装置に含まれ、該装置に対応する同一または同種の領域を示す領域ＩＤを制御装置に送出する手段と、
移動先に設けられた装置に含まれ、当該領域の状態を示す状態ＩＤを送出する手段と、
前記送出された領域ＩＤと状態ＩＤのそれぞれを基に検索された領域メタデータと状態メタデータを制御装置に送出する手段と
を備えることを特徴とする制御支援システム。
【請求項９】
制御対象を制御する移動可能な制御装置であって、
移動先の位置を示す位置情報を生成する手段と、
前記生成された位置情報を送出する手段と、
前記送出された位置情報により示される位置を含む同一または同種の領域を示す領域ＩＤが送出された場合の当該送出された領域ＩＤを基に検索されて送出及び受信された領域メタデータを基に生成された制御情報により前記制御対象を制御する手段と
を備えることを特徴とする制御装置。
【請求項１０】
制御対象を制御する移動可能な制御装置が、移動先の位置を示す位置情報を生成し、該位置情報を送出し、該位置情報により示される位置を含む同一または同種の領域を示す領域ＩＤが送出された場合の該領域ＩＤを基に検索されて送出及び受信された領域メタデータを基に生成された制御情報により前記制御対象を制御する場合の制御支援システムであって、
前記制御装置から送出された位置情報を受信する手段と、
前記受信された位置情報により示される位置を含む同一または同種の領域を示す領域ＩＤを求める手段と、
前記求められた領域ＩＤを送出する手段と、
前記送出された領域ＩＤを基に検索されて送出及び受信された領域メタデータを基に生成された制御情報を前記制御装置に送出する手段と
を備えることを特徴とする制御支援システム。
【請求項１１】
情報を選択する情報選択装置であって、
複数の情報を受信する手段と、
移動可能な情報選択支援装置の移動先に設けられた装置に対応する同一または同種の領域を示す領域ＩＤが送出及び受信された場合の当該領域ＩＤを基に領域メタデータが検索、送出及び受信された場合の当該領域メタデータを基に生成された制御情報を受信する手段と、
前記受信された制御情報により前記複数の情報からの情報の選択を行う手段と
を備えることを特徴とする情報選択装置。
【請求項１２】
情報を選択する情報選択装置が複数の情報を受信し、移動可能な情報選択支援装置の移動先に設けられた装置に対応する同一または同種の領域を示す領域ＩＤが送出及び受信された場合の当該領域ＩＤを基に領域メタデータが検索、送出及び受信された場合の当該領域メタデータを基に生成された制御情報を受信し、受信された制御情報により前記複数の情報からの情報の選択を行う場合の情報選択支援装置であって、
移動先に設けられた装置から該装置に対応する同一または同種の領域を示す領域ＩＤを受信する手段と、
前記受信された領域ＩＤを送出する手段と、
前記送出された領域ＩＤを基に検索されて送出及び受信された領域メタデータを基に制御情報を生成する手段と、
前記生成された制御情報を前記情報選択装置に送出する手段と
を備えることを特徴とする情報選択支援装置。
【請求項１３】
制御対象を制御する移動可能な制御装置における制御方法であって、
移動先に設けられた装置から該装置に対応する同一または同種の領域を示す領域ＩＤを受信するステップと、
前記受信された領域ＩＤを送出するステップと、
前記送出された領域ＩＤを基に検索されて送出及び受信された領域メタデータを基に生成された制御情報により前記制御対象を制御するステップと
を備えることを特徴とする制御方法。
【請求項１４】
制御対象を制御する移動可能な制御装置が、移動先で同一または同種の領域を示す領域ＩＤを受信及び送出し、該領域ＩＤを基に検索されて送出された領域メタデータを受信し、該領域メタデータを基に制御情報を生成し、該制御情報により前記制御対象を制御する場合の制御支援方法であって、
移動先に設けられた装置から、該装置に対応する同一または同種の領域を示す領域ＩＤを制御装置に送出するステップと、
前記送出された領域ＩＤを基に検索された領域メタデータを制御装置に送出するステップと
を備えることを特徴とする制御支援方法。
【請求項１５】
制御対象を制御する移動可能な制御装置における制御方法であって、
移動先の位置を示す位置情報を生成するステップと、
前記生成された位置情報を送出するステップと、
前記送出された位置情報により示される位置を含む同一または同種の領域を示す領域ＩＤが送出された場合の当該送出された領域ＩＤを基に検索されて送出及び受信された領域メタデータを基に生成された制御情報により前記制御対象を制御するステップと
を備えることを特徴とする制御方法。
【請求項１６】
制御対象を制御する移動可能な制御装置が、移動先の位置を示す位置情報を生成し、該位置情報を送出し、該位置情報により示される位置を含む同一または同種の領域を示す領域ＩＤが送出された場合の該領域ＩＤを基に検索されて送出及び受信された領域メタデータを基に生成された制御情報により前記制御対象を制御する場合の制御支援方法であって、
前記制御装置から送出された位置情報を受信するステップと、
前記受信された位置情報により示される位置を含む同一または同種の領域を示す領域ＩＤを求めるステップと、
前記求められた領域ＩＤを送出するステップと、
前記送出された領域ＩＤを基に検索されて送出及び受信された領域メタデータを基に生成された制御情報を前記制御装置に送信するステップと
を備えることを特徴とする制御支援方法。
【請求項１７】
情報を選択する情報選択方法であって、
複数の情報を受信するステップと、
移動可能な情報選択支援装置の移動先に設けられた装置に対応する同一または同種の領域を示す領域ＩＤが送出及び受信された場合の当該領域ＩＤを基に領域メタデータが検索、送出及び受信された場合の当該領域メタデータを基に生成された制御情報を受信するステップと、
前記受信された制御情報により前記複数の情報からの情報の選択を行うステップと
を備えることを特徴とする情報選択方法。
【請求項１８】
情報を選択する情報選択装置が複数の情報を受信し、移動可能な情報選択支援装置の移動先に設けられた装置に対応する同一または同種の領域を示す領域ＩＤが送出及び受信された場合の当該領域ＩＤを基に領域メタデータが検索、送出及び受信された場合の当該領域メタデータを基に生成された制御情報を受信し、受信された制御情報により前記複数の情報からの情報の選択を行う場合の情報選択支援方法であって、
移動先に設けられた装置から該装置に対応する同一または同種の領域を示す領域ＩＤを受信するステップと、
前記受信された領域ＩＤを送出するステップと、
前記送出された領域ＩＤを基に検索されて送出及び受信された領域メタデータを基に制御情報を生成するステップと、
前記生成された制御情報を前記情報選択装置に送出するステップと
を備えることを特徴とする情報選択支援方法。
【請求項１９】
制御対象を制御する制御装置において、
所定の装置から、状態が変化しうる対象についての現在の状態を示す状態ＩＤを受信する手段と、
前記受信された状態ＩＤを送出する手段と、
前記送出された状態ＩＤを基に検索されて送出及び受信された状態メタデータを基に生成された制御情報により、前記制御対象を制御する手段と
を備えることを特徴とする制御装置。
【請求項２０】
前記送出された状態ＩＤを基に検索されて送出された状態メタデータを受信する手段と、
前記状態メタデータを基に制御情報を生成する手段と
を備えることを特徴とする請求項１９記載の制御装置。
【発明の詳細な説明】
【０００１】
【発明の属する技術分野】
本発明は、広がりをもった領域に応じた制御が可能な制御装置及び方法、そのような制御をできるように支援する制御支援システム及び方法、広がりをもった領域に応じた情報の選択が可能な情報選択装置及び方法、そのような情報選択をできるように支援する情報選択支援装置及び方法に関する。
【０００２】
【従来の技術】
近年においては、携帯電話端末の位置に基づいた制御を行う制御システムが発明されるようになった。
【０００３】
図１０は、位置に基づいて制御する制御システムの構成を示す図である。
【０００４】
携帯電話端末１００の位置情報生成手段１２５は、ＧＰＳ衛星５からの信号を基に携帯電話端末１００の位置を示す位置情報（座標、緯度及び経度ともいう。以下同じ）を生成し、携帯電話端末１００の位置情報送出手段１２７は生成された位置情報を送出する。
【０００５】
制御情報記憶装置３００は、複数の制御情報を記憶していて、送出された位置情報を基に読み出した制御情報を携帯電話端末１００に送出する。
【０００６】
携帯電話端末１００の制御情報受信手段１２３は、制御情報記憶装置３００からの制御情報を受信し、携帯電話端末１００の制御手段１１９は、受信された制御情報により、携帯電話端末１００に設けられた禁煙を促す発光素子１０１などを制御対象として制御する。
【０００７】
なお、類似の発明が下記の特許文献１に記載されている。
【０００８】
【特許文献１】
特開２００１−２９６３４６号公報
【０００９】
【発明が解決しようとする課題】
上記したように従来の制御システムは、携帯電話端末１００が通話者に携行されて、例えば駅構内を移動する場合、携帯電話端末１００の位置を示す位置情報が刻々と変化し、変化していく位置情報を処理しながら制御が行われる。
【００１０】
しかしながら、例えば駅構内であれば、禁煙を促す発光素子１０１を点灯させたままにすればよい場合が多い。つまり、広がりをもった領域において制御内容を同一にすることで処理が少なくなる。また、行政区分が広がりをもった領域といえるように、領域という概念は社会生活と密接に結びついているので、これを様々な制御や、特定の制御である情報選択に利用すれば、顕著な効果を奏すると予想できる。
【００１１】
そこで本発明は、上記の従来の課題に鑑みてなされたものであり、その目的とするところは、広がりをもった領域に応じた制御が可能な制御装置及び方法、そのような制御をできるように支援する制御支援システム及び方法、広がりをもった領域に応じた情報の選択が可能な情報選択装置及び方法、そのような情報選択をできるように支援する情報選択支援装置及び方法を提供を提供することにある。
【００１２】
【課題を解決するための手段】
上記従来の課題を解決するために、請求項１の本発明は、制御対象を制御する移動可能な制御装置であって、移動先に設けられた装置から該装置に対応する同一または同種の領域を示す領域ＩＤを受信する手段と、前記受信された領域ＩＤを送出する手段と、前記送出された領域ＩＤを基に検索されて送出及び受信された領域メタデータを基に生成された制御情報により前記制御対象を制御する手段とを備えることを特徴とする制御装置をもって解決手段とする。
【００１３】
請求項１の本発明によれば、制御対象を制御する移動可能な制御装置であって、移動先に設けられた装置から該装置に対応する同一または同種の領域を示す領域ＩＤを受信する手段と、受信された領域ＩＤを送出する手段と、送出された領域ＩＤを基に検索されて送出及び受信された領域メタデータを基に生成された制御情報により制御対象を制御する手段とを備えるので、移動先に移動したときに該移動先に対応する同一または同種の領域に応じて制御対象を制御することができる。
【００１４】
請求項２の本発明は、前記送出された領域ＩＤを基に検索されて送出された領域メタデータを受信する手段と、前記領域メタデータを基に制御情報を生成する手段とを備えることを特徴とする請求項１記載の制御装置をもって解決手段とする。
【００１５】
請求項２の本発明によれば、送出された領域ＩＤを基に検索されて送出された領域メタデータを受信する手段と、領域メタデータを基に制御情報を生成する手段とを備えるので、かかる手段を備える装置等を別に設ける必要がない。
【００１６】
請求項３の本発明は、前記領域の状態を示す状態メタデータを受信する手段を備え、前記受信された状態メタデータを基に生成された制御情報により制御対象を制御することを特徴とする請求項１または２記載の制御装置をもって解決手段とする。
【００１７】
請求項３の本発明によれば、領域の状態を示す状態メタデータを受信する手段を備え、受信された状態メタデータを基に生成された制御情報により制御対象を制御するので、移動先に移動したときに該移動先に対応する同一または同種の領域の状態に応じて制御対象を制御することができる。
【００１８】
請求項４の本発明は、制御の方針を示すポリシーメタデータを記憶する手段または当該ポリシーメタデータを受信する手段を備え、前記記憶または受信されたポリシーメタデータを基に生成された制御情報により制御対象を制御することを特徴とする請求項１ないし３のいずれかに記載の制御装置をもって解決手段とする。
【００１９】
請求項４の本発明によれば、制御の方針を示すポリシーメタデータを記憶する手段または当該ポリシーメタデータを受信する手段を備え、記憶または受信されたポリシーメタデータを基に生成された制御情報により制御対象を制御するので、制御の方針に従って制御対象を制御することができる。
【００２０】
請求項５の本発明は、現在時刻を示す現在時刻メタデータを生成する手段または当該現在時刻メタデータを受信する手段を備え、前記生成または受信された現在時刻メタデータを基に生成された制御情報により制御対象を制御することを特徴とする請求項１ないし４のいずれかに記載の制御装置をもって解決手段とする。
【００２１】
請求項５の本発明によれば、現在時刻を示す現在時刻メタデータを生成する手段または当該現在時刻メタデータを受信する手段を備え、生成または受信された現在時刻メタデータを基に生成された制御情報により制御対象を制御するので、現在時刻に応じて制御対象を制御することができる。
【００２２】
請求項６の本発明は、制御情報に含まれる制御内容を含んだシナリオを記憶する手段または当該シナリオを受信する手段を備え、前記記憶または受信されたシナリオを基に生成された制御情報により制御対象を制御することを特徴とする請求項１ないし５のいずれかに記載の制御装置をもって解決手段とする。
【００２３】
請求項６の本発明によれば、制御情報に含まれる制御内容を含んだシナリオを記憶する手段または当該シナリオを受信する手段を備え、記憶または受信されたシナリオを基に生成された制御情報により制御対象を制御するので、シナリオに従って制御対象を制御することができる。
【００２４】
請求項７の本発明は、制御対象を制御する移動可能な制御装置が、移動先で同一または同種の領域を示す領域ＩＤを受信及び送出し、該領域ＩＤを基に検索されて送出された領域メタデータを受信し、該領域メタデータを基に制御情報を生成し、該制御情報により前記制御対象を制御する場合の制御支援システムであって、移動先に設けられた装置に含まれ、該装置に対応する同一または同種の領域を示す領域ＩＤを制御装置に送出する手段と、前記送出された領域ＩＤを基に検索された領域メタデータを制御装置に送出する手段とを備えることを特徴とする制御支援システムをもって解決手段とする。
【００２５】
請求項７の本発明によれば、制御対象を制御する移動可能な制御装置が、移動先で同一または同種の領域を示す領域ＩＤを受信及び送出し、該領域ＩＤを基に検索されて送出された領域メタデータを受信し、該領域メタデータを基に制御情報を生成し、該制御情報により制御対象を制御する場合の制御支援システムであって、移動先に設けられた装置に含まれ、該装置に対応する同一または同種の領域を示す領域ＩＤを制御装置に送出する手段と、送出された領域ＩＤを基に検索された領域メタデータを制御装置に送出する手段とを備えるので、移動先に移動したときに該移動先に対応する同一または同種の領域に応じて制御対象を制御することを、かかる制御支援システムにより支援することができる。
【００２６】
請求項８の本発明は、制御対象を制御する移動可能な制御装置が、移動先で同一または同種の領域を示す領域ＩＤと当該領域の状態を示す状態ＩＤを受信及び送出し、該領域ＩＤ及び状態ＩＤのそれぞれを基に検索されて送出された領域メタデータ及び状態メタデータを受信し、該領域メタデータ及び状態メタデータを基に制御情報を生成し、該制御情報により前記制御対象を制御する場合の制御支援システムであって、移動先に設けられた装置に含まれ、該装置に対応する同一または同種の領域を示す領域ＩＤを制御装置に送出する手段と、移動先に設けられた装置に含まれ、当該領域の状態を示す状態ＩＤを送出する手段と、前記送出された領域ＩＤと状態ＩＤのそれぞれを基に検索された領域メタデータと状態メタデータを制御装置に送出する手段とを備えることを特徴とする制御支援システムをもって解決手段とする。
【００２７】
請求項８の本発明によれば、制御対象を制御する移動可能な制御装置が、移動先で同一または同種の領域を示す領域ＩＤと当該領域の状態を示す状態ＩＤを受信及び送出し、該領域ＩＤ及び状態ＩＤのそれぞれを基に検索されて送出された領域メタデータ及び状態メタデータを受信し、該領域メタデータ及び状態メタデータを基に制御情報を生成し、該制御情報により制御対象を制御する場合の制御支援システムであって、移動先に設けられた装置に含まれ、該装置に対応する同一または同種の領域を示す領域ＩＤを制御装置に送出する手段と、移動先に設けられた装置に含まれ、当該領域の状態を示す状態ＩＤを送出する手段と、送出された領域ＩＤと状態ＩＤのそれぞれを基に検索された領域メタデータと状態メタデータを制御装置に送出する手段とを備えるので、移動先に移動したときに該移動先に対応する同一または同種の領域とその状態に応じて制御対象を制御することを、かかる制御支援システムにより支援することができる。
【００２８】
請求項９の本発明は、制御対象を制御する移動可能な制御装置であって、移動先の位置を示す位置情報を生成する手段と、前記生成された位置情報を送出する手段と、前記送出された位置情報により示される位置を含む同一または同種の領域を示す領域ＩＤが送出された場合の当該送出された領域ＩＤを基に検索されて送出及び受信された領域メタデータを基に生成された制御情報により前記制御対象を制御する手段とを備えることを特徴とする制御装置をもって解決手段とする。
【００２９】
請求項９の本発明によれば、制御対象を制御する移動可能な制御装置であって、移動先の位置を示す位置情報を生成する手段と、生成された位置情報を送出する手段と、送出された位置情報により示される位置を含む同一または同種の領域を示す領域ＩＤが送出された場合の当該送出された領域ＩＤを基に検索されて送出及び受信された領域メタデータを基に生成された制御情報により制御対象を制御する手段とを備えるので、移動先に移動したときに該移動先に対応する同一または同種の領域を位置情報から求めて当該領域に応じて制御対象を制御することができる。
【００３０】
請求項１０の本発明は、制御対象を制御する移動可能な制御装置が、移動先の位置を示す位置情報を生成し、該位置情報を送出し、該位置情報により示される位置を含む同一または同種の領域を示す領域ＩＤが送出された場合の該領域ＩＤを基に検索されて送出及び受信された領域メタデータを基に生成された制御情報により前記制御対象を制御する場合の制御支援システムであって、前記制御装置から送出された位置情報を受信する手段と、前記受信された位置情報により示される位置を含む同一または同種の領域を示す領域ＩＤを求める手段と、前記求められた領域ＩＤを送出する手段と、前記送出された領域ＩＤを基に検索されて送出及び受信された領域メタデータを基に生成された制御情報を前記制御装置に送出する手段とを備えることを特徴とする制御支援システムをもって解決手段とする。
【００３１】
請求項１０の本発明によれば、制御対象を制御する移動可能な制御装置が、移動先の位置を示す位置情報を生成し、該位置情報を送出し、該位置情報により示される位置を含む同一または同種の領域を示す領域ＩＤが送出された場合の該領域ＩＤを基に検索されて送出及び受信された領域メタデータを基に生成された制御情報により制御対象を制御する場合の制御支援システムであって、制御装置から送出された位置情報を受信する手段と、受信された位置情報により示される位置を含む同一または同種の領域を示す領域ＩＤを求める手段と、求められた領域ＩＤを送出する手段と、送出された領域ＩＤを基に検索されて送出及び受信された領域メタデータを基に生成された制御情報を制御装置に送出する手段とを備えるので、移動先に移動したときに該移動先に対応する同一または同種の領域を位置情報から求めて当該領域に応じて制御対象を制御することを、かかる制御支援システムにより支援することができる。
【００３２】
請求項１１の本発明は、情報を選択する情報選択装置であって、複数の情報を受信する手段と、移動可能な情報選択支援装置の移動先に設けられた装置に対応する同一または同種の領域を示す領域ＩＤが送出及び受信された場合の当該領域ＩＤを基に領域メタデータが検索、送出及び受信された場合の当該領域メタデータを基に生成された制御情報を受信する手段と、前記受信された制御情報により前記複数の情報からの情報の選択を行う手段とを備えることを特徴とする情報選択装置をもって解決手段とする。
【００３３】
請求項１１の本発明によれば、情報を選択する情報選択装置であって、複数の情報を受信する手段と、移動可能な情報選択支援装置の移動先に設けられた装置に対応する同一または同種の領域を示す領域ＩＤが送出及び受信された場合の当該領域ＩＤを基に領域メタデータが検索、送出及び受信された場合の当該領域メタデータを基に生成された制御情報を受信する手段と、前記受信された制御情報により前記複数の情報からの情報の選択を行う手段とを備えるので、移動先に移動したときに該移動先に対応する同一または同種の領域に応じて情報の選択を行うことができる。
【００３４】
請求項１２の本発明は、情報を選択する情報選択装置が複数の情報を受信し、移動可能な情報選択支援装置の移動先に設けられた装置に対応する同一または同種の領域を示す領域ＩＤが送出及び受信された場合の当該領域ＩＤを基に領域メタデータが検索、送出及び受信された場合の当該領域メタデータを基に生成された制御情報を受信し、受信された制御情報により前記複数の情報からの情報の選択を行う場合の情報選択支援装置であって、移動先に設けられた装置から該装置に対応する同一または同種の領域を示す領域ＩＤを受信する手段と、前記受信された領域ＩＤを送出する手段と、前記送出された領域ＩＤを基に検索されて送出及び受信された領域メタデータを基に制御情報を生成する手段と、前記生成された制御情報を前記情報選択装置に送出する手段とを備えることを特徴とする情報選択支援装置をもって解決手段とする。
【００３５】
請求項１２の本発明によれば、情報を選択する情報選択装置が複数の情報を受信し、移動可能な情報選択支援装置の移動先に設けられた装置に対応する同一または同種の領域を示す領域ＩＤが送出及び受信された場合の当該領域ＩＤを基に領域メタデータが検索、送出及び受信された場合の当該領域メタデータを基に生成された制御情報を受信し、受信された制御情報により複数の情報からの情報の選択を行う場合の情報選択支援装置であって、移動先に設けられた装置から該装置に対応する同一または同種の領域を示す領域ＩＤを受信する手段と、受信された領域ＩＤを送出する手段と、送出された領域ＩＤを基に検索されて送出及び受信された領域メタデータを基に制御情報を生成する手段と、生成された制御情報を情報選択装置に送出する手段とを備えるので、移動先に移動したときに該移動先に対応する同一または同種の領域に応じて情報の選択を行うことを、かかる制御支援装置により支援することができる。
【００３６】
請求項１３の本発明は、制御対象を制御する移動可能な制御装置における制御方法であって、移動先に設けられた装置から該装置に対応する同一または同種の領域を示す領域ＩＤを受信するステップと、前記受信された領域ＩＤを送出するステップと、前記送出された領域ＩＤを基に検索されて送出及び受信された領域メタデータを基に生成された制御情報により前記制御対象を制御するステップとを備えることを特徴とする制御方法をもって解決手段とする。
【００３７】
請求項１３の本発明によれば、制御対象を制御する移動可能な制御装置における制御方法であって、移動先に設けられた装置から該装置に対応する同一または同種の領域を示す領域ＩＤを受信するステップと、受信された領域ＩＤを送出するステップと、送出された領域ＩＤを基に検索されて送出及び受信された領域メタデータを基に生成された制御情報により制御対象を制御するステップとを備えるので、移動先に移動したときに該移動先に対応する同一または同種の領域に応じて制御対象を制御することができる。
【００３８】
請求項１４の本発明は、制御対象を制御する移動可能な制御装置が、移動先で同一または同種の領域を示す領域ＩＤを受信及び送出し、該領域ＩＤを基に検索されて送出された領域メタデータを受信し、該領域メタデータを基に制御情報を生成し、該制御情報により前記制御対象を制御する場合の制御支援方法であって、移動先に設けられた装置から、該装置に対応する同一または同種の領域を示す領域ＩＤを制御装置に送出するステップと、前記送出された領域ＩＤを基に検索された領域メタデータを制御装置に送出するステップとを備えることを特徴とする制御支援方法をもって解決手段とする。
【００３９】
請求項１４の本発明によれば、制御対象を制御する移動可能な制御装置が、移動先で同一または同種の領域を示す領域ＩＤを受信及び送出し、該領域ＩＤを基に検索されて送出された領域メタデータを受信し、該領域メタデータを基に制御情報を生成し、該制御情報により制御対象を制御する場合の制御支援方法であって、移動先に設けられた装置から、該装置に対応する同一または同種の領域を示す領域ＩＤを制御装置に送出するステップと、送出された領域ＩＤを基に検索された領域メタデータを制御装置に送出するステップとを備えるので、移動先に移動したときに該移動先に対応する同一または同種の領域に応じて制御対象を制御することを、かかる制御支援方法により支援することができる。
【００４０】
請求項１５の本発明は、制御対象を制御する移動可能な制御装置における制御方法であって、移動先の位置を示す位置情報を生成するステップと、前記生成された位置情報を送出するステップと、前記送出された位置情報により示される位置を含む同一または同種の領域を示す領域ＩＤが送出された場合の当該送出された領域ＩＤを基に検索されて送出及び受信された領域メタデータを基に生成された制御情報により前記制御対象を制御するステップとを備えることを特徴とする制御方法をもって解決手段とする。
【００４１】
請求項１５の本発明によれば、制御対象を制御する移動可能な制御装置における制御方法であって、移動先の位置を示す位置情報を生成するステップと、生成された位置情報を送出するステップと、送出された位置情報により示される位置を含む同一または同種の領域を示す領域ＩＤが送出された場合の当該送出された領域ＩＤを基に検索されて送出及び受信された領域メタデータを基に生成された制御情報により制御対象を制御するステップとを備えるので、移動先に移動したときに該移動先に対応する同一または同種の領域を位置情報から求めて当該領域に応じて制御対象を制御することができる。
【００４２】
請求項１６の本発明は、制御対象を制御する移動可能な制御装置が、移動先の位置を示す位置情報を生成し、該位置情報を送出し、該位置情報により示される位置を含む同一または同種の領域を示す領域ＩＤが送出された場合の該領域ＩＤを基に検索されて送出及び受信された領域メタデータを基に生成された制御情報により前記制御対象を制御する場合の制御支援方法であって、前記制御装置から送出された位置情報を受信するステップと、前記受信された位置情報により示される位置を含む同一または同種の領域を示す領域ＩＤを求めるステップと、前記求められた領域ＩＤを送出するステップと、前記送出された領域ＩＤを基に検索されて送出及び受信された領域メタデータを基に生成された制御情報を前記制御装置に送信するステップとを備えることを特徴とする制御支援方法をもって解決手段とする。
【００４３】
請求項１６の本発明によれば、制御対象を制御する移動可能な制御装置が、移動先の位置を示す位置情報を生成し、該位置情報を送出し、該位置情報により示される位置を含む同一または同種の領域を示す領域ＩＤが送出された場合の該領域ＩＤを基に検索されて送出及び受信された領域メタデータを基に生成された制御情報により制御対象を制御する場合の制御支援方法であって、制御装置から送出された位置情報を受信するステップと、受信された位置情報により示される位置を含む同一または同種の領域を示す領域ＩＤを求めるステップと、求められた領域ＩＤを送出するステップと、送出された領域ＩＤを基に検索されて送出及び受信された領域メタデータを基に生成された制御情報を制御装置に送信するステップとを備えるので、移動先に移動したときに該移動先に対応する同一または同種の領域を位置情報から求めて当該領域に応じて制御対象を制御することを、かかる制御支援方法により支援することができる。
【００４４】
請求項１７の本発明は、情報を選択する情報選択方法であって、複数の情報を受信するステップと、移動可能な情報選択支援装置の移動先に設けられた装置に対応する同一または同種の領域を示す領域ＩＤが送出及び受信された場合の当該領域ＩＤを基に領域メタデータが検索、送出及び受信された場合の当該領域メタデータを基に生成された制御情報を受信するステップと、前記受信された制御情報により前記複数の情報からの情報の選択を行うステップとを備えることを特徴とする情報選択方法をもって解決手段とする。
【００４５】
請求項１７の本発明によれば、情報を選択する情報選択方法であって、複数の情報を受信するステップと、移動可能な情報選択支援装置の移動先に設けられた装置に対応する同一または同種の領域を示す領域ＩＤが送出及び受信された場合の当該領域ＩＤを基に領域メタデータが検索、送出及び受信された場合の当該領域メタデータを基に生成された制御情報を受信するステップと、受信された制御情報により複数の情報からの情報の選択を行うステップとを備えるので、移動先に移動したときに該移動先に対応する同一または同種の領域に応じて情報の選択を行うことができる。
【００４６】
請求項１８の本発明は、情報を選択する情報選択装置が複数の情報を受信し、移動可能な情報選択支援装置の移動先に設けられた装置に対応する同一または同種の領域を示す領域ＩＤが送出及び受信された場合の当該領域ＩＤを基に領域メタデータが検索、送出及び受信された場合の当該領域メタデータを基に生成された制御情報を受信し、受信された制御情報により前記複数の情報からの情報の選択を行う場合の情報選択支援方法であって、移動先に設けられた装置から該装置に対応する同一または同種の領域を示す領域ＩＤを受信するステップと、前記受信された領域ＩＤを送出するステップと、前記送出された領域ＩＤを基に検索されて送出及び受信された領域メタデータを基に制御情報を生成するステップと、前記生成された制御情報を前記情報選択装置に送出するステップとを備えることを特徴とする情報選択支援方法をもって解決手段とする。
【００４７】
請求項１８の本発明によれば、情報を選択する情報選択装置が複数の情報を受信し、移動可能な情報選択支援装置の移動先に設けられた装置に対応する同一または同種の領域を示す領域ＩＤが送出及び受信された場合の当該領域ＩＤを基に領域メタデータが検索、送出及び受信された場合の当該領域メタデータを基に生成された制御情報を受信し、受信された制御情報により複数の情報からの情報の選択を行う場合の情報選択支援方法であって、移動先に設けられた装置から該装置に対応する同一または同種の領域を示す領域ＩＤを受信するステップと、受信された領域ＩＤを送出するステップと、送出された領域ＩＤを基に検索されて送出及び受信された領域メタデータを基に制御情報を生成するステップと、生成された制御情報を情報選択装置に送出するステップとを備えるので、移動先に移動したときに該移動先に対応する同一または同種の領域に応じて情報の選択を行うことを、かかる制御支援方法により支援することができる。
【００４８】
請求項１９の本発明は、制御対象を制御する制御装置において、所定の装置から、状態が変化しうる対象についての現在の状態を示す状態ＩＤを受信する手段と、前記受信された状態ＩＤを送出する手段と、前記送出された状態ＩＤを基に検索されて送出及び受信された状態メタデータを基に生成された制御情報により、前記制御対象を制御する手段とを備えることを特徴とする制御装置をもって解決手段とする。
【００４９】
請求項１９の本発明によれば、状態が変化しうる対象についての現在の状態を示す状態ＩＤを受信する手段と、受信された状態ＩＤを送出する手段と、送出された状態ＩＤを基に検索されて送出及び受信された状態メタデータを基に生成された制御情報により、制御対象を制御する手段とを備えるので、状態が変化しうる対象についての現在の状態に応じて制御対象を制御できる。
【００５０】
請求項２０の本発明は、前記送出された状態ＩＤを基に検索されて送出された状態メタデータを受信する手段と、前記状態メタデータを基に制御情報を生成する手段とを備えることを特徴とする請求項１９記載の制御装置をもって解決手段とする。
【００５１】
請求項２０の本発明によれば、送出された状態ＩＤを基に検索されて送出された状態メタデータを受信する手段と、状態メタデータを基に制御情報を生成する手段とを備えるので、かかる手段を備える装置等を別に設ける必要がない。
【００５２】
【発明の実施の形態】
以下、本発明の実施の形態を図面を参照して説明する。なお、図１０に示した制御システムの構成要素と同一のものには同一符号を付し名称も同一とする。
【００５３】
［第１の実施の形態］
図１は、本発明の第１の実施の形態に係るコンピュータシステムの構成を示す図である。携帯電話端末１は、点灯することで禁煙を促し、一方消灯することで喫煙を許可するための発光素子１０１を備え、この発光素子１０１を制御対象として制御を行う制御装置として機能するものである。
【００５４】
携帯電話端末１は勿論、通話者に携行されて移動し、その先々で通話に関する処理を行うことが可能であるが、第１の実施の形態では、サービス会社が通話者にサービスを提供するサービスエリア内の各所にＩＤ送出装置２（図１ではその１つのみを示す。他図においても同様）が据え置かれている。当該各所は、通話者が移動可能な場所、つまり駅構内やコンサートホールなどである。
【００５５】
ＩＤ送出装置２は、該装置に対応する同一または同種の領域を示す領域ＩＤを記憶する領域ＩＤ記憶手段２１と、当該領域の状態を示す状態ＩＤを記憶する状態ＩＤ記憶手段２２と、ＩＤ送出装置２への操作により領域ＩＤ記憶手段２１に領域ＩＤを記憶させる領域ＩＤ設定手段２３と、当該領域の状態に応じた状態ＩＤを生成して状態ＩＤ記憶手段２２に記憶させる状態ＩＤ生成手段２４と、領域ＩＤ記憶手段２１に記憶された領域ＩＤを携帯電話端末１に送出する領域ＩＤ送出手段２５と、状態ＩＤ記憶手段２２に記憶された状態ＩＤを携帯電話端末１に送出する状態ＩＤ送出手段２６とを備える。
【００５６】
補足すると、ＩＤ送出装置２は、キーボードなどの入力装置（図示せず）を備え、サービス会社のサービス員がそのキーボードを操作することにより領域ＩＤ設定手段２３が動作し、キーボードの操作内容に応じた領域ＩＤを領域ＩＤ記憶手段２１に記憶させる。なお、サービス員の派遣を省くために、領域ＩＤ設定手段２３がサービス会社のコンピュータと通信可能にし、該コンピュータからの通信内容により動作するようにしてもよい。
【００５７】
また、状態ＩＤ生成手段２４を補足すると、状態ＩＤ生成手段２４は、領域内の状態を自動的に判定し、または操作により知らされ、その状態に対応する状態ＩＤを生成するのである。
【００５８】
ここで領域について説明する。
【００５９】
位置情報が地球上の１点を示すのに対し、領域は広がりをもった範囲を示す。しかも領域は、東京都千代田区というような同一（単一）の領域でもよいし、電車内というような、複数存在するが同種とされる範囲でもよい。
【００６０】
領域に関連して領域ＩＤについて説明する。
【００６１】
領域ＩＤは、領域を示すＩＤ（識別情報。本明細書において同じ）であるが、行政区分のように、階層構造で表すことのできるものについては、階層毎のＩＤを組み合わせたものでもよい。
【００６２】
例えば、東京都と神奈川県に新宿という場所がある場合は、東京都の領域ＩＤと新宿という場所の領域ＩＤとを組み合わせて、東京都の新宿（新宿区）を示すものとすればよい。
【００６３】
さて、携帯電話端末１は、ＩＤ送出装置２から送出された領域ＩＤと状態ＩＤを受信するＩＤ受信手段１０３と、受信された領域ＩＤと状態ＩＤを送出するＩＤ送出手段１０５と、送出された領域ＩＤ及び状態ＩＤを基に検索されて送出された領域メタデータ及び状態メタデータを受信するメタデータ受信手段１０７と、通話者の制御の方針を示すポリシーメタデータを記憶するポリシーメタデータ記憶手段１０９と、継続的に現在時刻を通知するタイマー１１１と、現在時刻を示す現在時刻メタデータを生成する現在時刻メタデータ生成手段１１３と、制御内容を含んだシナリオを記憶するシナリオ記憶手段１１５と、シナリオとメタデータとに基づいて制御情報を生成する制御情報生成手段１１７と、生成された制御情報により発光素子１０１を制御する制御手段１１９とを備える。
【００６４】
さて、メタデータ管理装置３は、領域ＩＤや状態ＩＤより検索される領域メタデータや状態メタデータを管理する装置であり、各所のＩＤ送出装置２に記憶された各領域ＩＤに対応づけられた各領域メタデータを記憶する領域メタデータ記憶手段３１を備える。
【００６５】
図２は、領域メタデータ記憶手段３１の構造と内容を例示する図である。
【００６６】
領域メタデータ記憶手段３１は、複数の行（図２及び後述する図３においては横に並んだ記憶領域をいう）からなる表の構成を有し、各行には領域ＩＤと、後述する状態メタデータ記憶手段３３を複数に分けたときの１の部分を示すポインタと、各種領域メタデータが含まれる。各種領域メタデータは、具体的には、領域種別に属するもの、領域名に属するもの、法律に属するもの、条例に属するもの、規則に属するもの、所有者名に属するもの、所有者連絡先に属するものである。
【００６７】
領域ＩＤである「０００１０１」（以下、領域ＩＤ「０００１０１」のように記す）を含む行には、ポインタ「０００１００」、領域種別に属するものである「乗り物」（以下、領域種別「乗り物」のように記す）、領域名「ＪＪ電車」、規則「禁煙」、所有者「ＪＪ」、所有者連絡先「ｍａｉｌ＠ｊｊ．ｃｏ．ｊｐ」が含まれている。
【００６８】
領域ＩＤ「００２０３３」を含む行には、ポインタ「００２０００」、領域種別「市区」、領域名「千代田区」、条例「公道禁煙」、規則「喫煙可」が含まれている。
【００６９】
図１に戻り、メタデータ管理装置３は、各所のＩＤ送出装置２に記憶された各状態ＩＤに対応づけられた各状態メタデータを記憶する状態メタデータ記憶手段３３を備える。
【００７０】
図３は、状態メタデータ記憶手段３３の構造と内容を例示する図である。
【００７１】
状態メタデータ記憶手段３３は、複数の部分に分けられかつ各部分が１以上の行からなる表の構成を有している。
【００７２】
各行には状態ＩＤと、この行を含む部分を示すポインタと、各種状態メタデータが含まれる。各種状態メタデータは、具体的には、種別に属するもの、状態名に属するもの、規則に属するものである。
【００７３】
状態ＩＤである「０００１００２」（以下、状態ＩＤ「０００１００２」のように記す）を含む行には、ポインタ「０００１００」、種別に属するものである「電車」（以下、種別「電車」のように記す）、状態名「停車中」、規則「禁煙」が含まれている。
【００７４】
また、同じポインタである「０００１００」を含む他の行のうちの、状態ＩＤ「０００１００３」を含む行には、種別「電車」、状態名「走行中」、規則「禁煙」が含まれている。
【００７５】
図１に戻って説明する。
【００７６】
メタデータ管理装置３は、さらに、携帯電話端末１から領域ＩＤ及び状態ＩＤを受信するＩＤ受信手段３５と、領域ＩＤ及び状態ＩＤを基に領域メタデータや状態メタデータを検索するメタデータ検索手段３７と、検索された領域メタデータや状態メタデータを送出するメタデータ送出手段３９とを備える。
【００７７】
なお、携帯電話端末１とメタデータ管理装置３の間には、携帯電話網とインターネット（以下ネットワークと総称する）が介在している。
【００７８】
次に、第１の実施の形態の作用を説明する
サービスエリアの各所に設けられたＩＤ送出装置２の領域ＩＤ設定手段２３は、サービス員によるＩＤ送出装置２への操作により領域ＩＤ記憶手段２１に領域ＩＤを記憶させる。また、ＩＤ送出装置２の状態ＩＤ生成手段２４は、領域の状態を自動検出等してその状態に応じた状態ＩＤを生成して状態ＩＤ記憶手段２２に記憶させる。
【００７９】
自宅を出発した通話者に携行された携帯電話端末１が、移動先の横浜駅構内に設けられたＩＤ送出装置２に近づくと、ＩＤ送出装置２の領域ＩＤ送出手段２５は、領域ＩＤ記憶手段２１から領域ＩＤ「０００１２０」を読み出し、該領域ＩＤを無線で送出する。また、ＩＤ送出装置２の状態ＩＤ送出手段２６は、状態ＩＤ記憶手段２２から状態ＩＤ「０００１２０１」を読み出し、該状態ＩＤを無線で送出する。
【００８０】
携帯電話端末１のＩＤ受信手段１０３は、この領域ＩＤと状態ＩＤを受信してＩＤ送出手段１０５に与える。
【００８１】
携帯電話端末１とＩＤ送出装置２との間のＩＤの送受信は、ＲＦタグ、無線ＬＡＮ（Ｌｏｃａｌ  Ａｒｅａ  Ｎｅｔｗｏｒｋ）、短距離無線通信（Ｂｌｕｅｔｏｏｔｈ：ブルートゥース）を利用した通信で行うことができる。
【００８２】
なお、ＩＤ送出装置２が据え置かれるものでなく、移動して使用されるものの場合は、複数の位置のそれぞれを示す各位置情報と該各位置情報により示される位置を含む同一または同種の領域を示す領域ＩＤとを対応づけて記憶する記憶手段と、ＩＤ送出装置２の位置を示す位置情報をＧＰＳ衛星５からの信号を基に生成する手段と、生成された位置情報に対応する領域ＩＤを選択して送出する手段を設け、ＧＰＳ衛星５からの信号により生成された位置情報に対応する領域ＩＤがＩＤ送出装置２から送出されて携帯電話端末１のＩＤ受信手段１０３で受信されるようにすればよい。かかる構成を採用すれば、ＩＤ送出装置２を移動させる場合であっても正しい領域ＩＤを送受信できる。
【００８３】
また、領域ＩＤと状態ＩＤは、携帯電話端末１のＩＤ受信手段１０３からＩＤ送出装置２に継続的（例えば定期的に）要求してもよいし、ＩＤ送出装置２の領域ＩＤ送出手段２５や状態ＩＤ送出手段２６自らが継続的（例えば定期的に）ＩＤ受信手段１０３に送出してもよい。また、ＩＤ送出装置２の領域ＩＤ送出手段２５や状態ＩＤ送出手段２６自らが、ＩＤ送出装置２が移動したり状態が変化したりして、送出すべき領域ＩＤや状態ＩＤが別のものに変わったタイミングで領域ＩＤや状態ＩＤを携帯電話端末１に送出してもよい。
【００８４】
さて、ＩＤ送出手段１０５は、ＩＤ受信手段１０３から与えられた領域ＩＤ「０００１２０」と状態ＩＤ「０００１２０１」をネットワークを介してメタデータ管理装置３へ送出する。
【００８５】
メタデータ管理装置３のＩＤ受信手段３５は、メタデータ管理装置３からの領域ＩＤと状態ＩＤを受信してメタデータ検索手段３７に与える。
【００８６】
メタデータ検索手段３７は、与えられた領域ＩＤ「０００１２０」を含む行を領域メタデータ記憶手段３１から検索し、当該行に含まれるポインタ「０００１２０」と与えられた状態ＩＤ「０００１２０１」の双方を含む行を状態メタデータ記憶手段３３から検索する。
【００８７】
メタデータ検索手段３７は、領域メタデータ記憶手段３１や状態メタデータ記憶手段３３から検索された行のメタデータを加工する。例えば、領域メタデータ記憶手段３１から検索されたものでありかつ領域種別に属するものであることが分かるように加工する。この加工により生成されたものを以下、領域：領域種別「駅」（データがない場合はかっこのみ）と記す。その他についても同様に記す。
【００８８】
つまり、メタデータ検索手段３７は、領域メタデータである、領域：領域種別「駅」、領域：領域名「横浜駅構内」、領域：法律「」、領域：条例「」、領域：規則「禁煙」、並びに状態メタデータである、状態：種別「電車」、状態名「運行中電車無し」、状態：規則「禁煙」を生成し、これらをメタデータ送出手段３９に与える。メタデータ送出手段３９は、与えられたメタデータをネットワークを介して携帯電話端末１に送出する。
【００８９】
メタデータ受信手段１０７は、メタデータ送出手段３９から送出された領域：領域種別「駅」、領域：領域名「横浜駅構内」、領域：法律「」、領域：条例「」、領域：規則「禁煙」、状態：種別「電車」、状態名「運行中電車無し」、状態：規則「禁煙」を受信する。
【００９０】
一方、タイマー１１１は、現在時刻を現在時刻メタデータ生成手段１１３に通知し、現在時刻メタデータ生成手段１１３は、通知された現在時刻を示す現在時刻メタデータを生成する。
【００９１】
さて、制御情報生成手段１１７は、シナリオ記憶手段１１５からシナリオを、ポリシーメタデータ記憶手段１０９から通話者のポリシーメタデータをそれぞれ読み出し、またメタデータ受信手段１０７が受信した領域メタデータと状態メタデータ、現在時刻メタデータ生成手段１１３が生成した現在時刻メタデータを取得し、シナリオとこれらメタデータに基づいて制御情報を生成する。
【００９２】
最も単純なシナリオには、『領域：規則「禁煙」ならば制御情報はオンとする』ことが記載されている。オンは、発光素子１０１を点灯させるという制御内容を意味する。逆にオフは発光素子１０１を消灯させるという制御内容を意味する。
【００９３】
この場合、制御情報生成手段１１７は、メタデータ受信手段１０７から領域：規則「禁煙」を取得したならば、「オン」という制御情報を生成し、制御手段１１９に与える。制御手段１１９はこの制御情報を解釈して、発光素子１０１を点灯させる。発光素子１０１が点灯しているので、規則で禁煙となっている領域で通話者が喫煙してしまうことを防止できる。
【００９４】
また、『領域：規則「喫煙可」ならばオフとする。ただし、領域：法律「禁煙」ならばオンとする』というシナリオだったならば、制御情報生成手段１１７は、メタデータ受信手段１０７から領域：規則「喫煙可」を取得した場合であっても、さらに、メタデータ受信手段１０７から領域：法律「禁煙」を取得していれば、「オン」という制御情報を生成する。この場合も、発光素子１０１が点灯するので、規則で喫煙可とされている場合であっても、法律で禁煙となっている領域で喫煙してしまうことを防止できる。
【００９５】
また、『領域：領域種別「駅」ならばオンとする。ただし、現在時刻がＡＭ３：００からＡＭ６：００（乗客が比較的少ない時間帯）ならばオフとする』というシナリオだったならば、制御情報生成手段１１７は、メタデータ受信手段１０７から領域：領域種別「駅」を取得した場合であっても、さらに、現在時刻メタデータ生成手段１１３から取得した現在時刻メタデータが当該時間帯に含まれる時刻を示していれば、「オフ」という制御情報を生成する。
【００９６】
この場合、制御情報生成手段１１７は「オン」という制御情報を制御手段１１９に与え、制御手段１１９はこの制御情報を解釈して、発光素子１０１を消灯させる。発光素子１０１が消灯しているので、領域が駅であっても乗客が比較的少ない時間帯では喫煙することができる。
【００９７】
また、『領域：領域名「公道」ならばオフとする。ただし、ポリシーメタデータに領域：領域名「公道」でオンとあればオンとする。』というシナリオだったならば、制御情報生成手段１１７は、メタデータ受信手段１０７から領域：領域名「公道」を取得した場合であっても、さらに、ポリシーメタデータ記憶手段１０９から領域：領域名「公道」でオンというポリシーメタデータを読み出していれば、「オン」という制御情報を生成する。
【００９８】
さらに、制御情報生成手段１１７では、シナリオと多数のメタデータを基に制御情報を生成したり、条件分岐をさせることもできる。
【００９９】
図４に示すように、
『ステップＡ
領域：規則「禁煙」ならばオンとする
領域：規則「条件付き喫煙可」ならばステップＢへ行く
領域：規則「喫煙可」ならばステップＣへ行く
ステップＢ
状態：状態名「仕事時間中」ならばオンとする
状態：状態名「始業前」ならばステップＣへ行く
ステップＣ
現在時刻メタデータがポリシーメタデータに記述された禁煙タイム内の時刻を示していればオンとする
現在時刻メタデータがポリシーメタデータに記述された禁煙タイム内の時刻を示していなければオフとする』
というシナリオだったならば、
制御情報生成手段１１７は、先ずステップＡを参照し、メタデータ受信手段１０７から領域：規則「禁煙」を取得したのであれば「オン」という制御情報を生成する。
【０１００】
一方、領域：規則「条件付き喫煙可」を取得したのであれば、ステップＢを参照し、メタデータ受信手段１０７から状態：状態名「仕事時間中」を取得したのであれば「オン」という制御情報を生成する。
【０１０１】
ステップＡを参照した場合において、領域：規則「喫煙可」を取得したのであれば、ステップＣを参照する。また、ステップＢを参照した場合において、状態名「始業前」を取得したのであれば、ステップＣを参照する。
【０１０２】
ステップＣを参照する場合は、ポリシーメタデータ記憶手段１０９のポリシーメタデータを参照し、該ポリシーメタデータに禁煙タイムとして、ＡＭ１０：００からＡＭ１２：００が記載されていて、かつ、現在時刻メタデータが当該時間帯に含まれる時刻を示していれば、「オン」という制御情報を生成する。一方、該ポリシーメタデータに禁煙タイムとして、ＡＭ１０：００からＡＭ１２：００が記載されていて、かつ、現在時刻メタデータが当該時間帯に含まれない時刻を示していれば、「オフ」という制御情報を生成する。
【０１０３】
上記したのは、横浜駅構内に移動したときの動作であるが、通話者の移動経路が、（１）自宅（２）横浜駅（３）ＪＪ電車（４）千代田区（５）公道（６）コンサートホール（ロビー）（７）コンサートホール（会場：開演前）（８）コンサートホール（会場：会場：開演中）（９）コンサートホール（会場：休憩中）（１０）コンサートホール（ロビー）であれば、発光素子１０１は例えば、順次に（１）消灯（２）点灯（３）点灯（４）消灯（５）点灯（６）消灯（７）点灯（８）点灯（９）点灯（１０）消灯というように制御される。
【０１０４】
また、図５（ａ）に示すように、ポリシーメタデータ記憶手段１０９は、携帯電話端末１内にでなく、携帯電話端末１のような制御情報生成手段１１７を有する装置（以下、本段落において携帯電話端末１という）と通信可能な、サービス会社が管理するポリシーメタデータ記憶装置１０９０内に設け、他の通話者の分も合わせてポリシーメタデータを通話者の識別情報に対応づけてポリシーメタデータ記憶手段１０９に記憶し、携帯電話端末１から該端末の通話者の識別情報をポリシーメタデータ記憶装置１０９０に送信し、該装置が送信された識別情報に対応するポリシーメタデータを読み出して、携帯電話端末１に送信し、携帯電話端末１に設けられたポリシーメタデータ受信手段１０９１がポリシーメタデータを受信し、受信されたポリシーメタデータを上述のように使用しても良い。また、ポリシーメタデータ記憶装置１０９０を、例えば地域毎というように複数設け、携帯電話端末１が予め携帯電話端末１に識別情報等で記憶させた１つのポリシーメタデータ記憶装置１０９０からポリシーメタデータを受信するようにしてもよい。かかる形態は、全ての実施の形態に適用できる。
【０１０５】
また、図５（ｂ）に示すように、タイマー１１１と現在時刻メタデータ生成手段１１３は、携帯電話端末１内にでなく、携帯電話端末１のような制御情報生成手段１１７を有する装置（以下、本段落において携帯電話端末１という）と通信可能な、サービス会社が管理する現在時刻メタデータ生成装置１１３０内に設け、当該生成装置から現在時刻メタデータを、携帯電話端末１に送信し、携帯電話端末１に設けられた現在時刻メタデータ受信手段１１３１が現在時刻メタデータを受信し、受信された現在時刻メタデータを上述のように使用しても良い。かかる形態は、全ての実施の形態に適用できる。
【０１０６】
ところで、図５（ｃ）に示すように、シナリオ記憶手段１１５は、携帯電話端末１内にでなく、携帯電話端末１のような制御情報生成手段１１７を有する装置（以下、本段落において携帯電話端末１という）と通信可能な、サービス会社が管理するシナリオ記憶装置１１５０内に設け、該記憶装置からシナリオを、携帯電話端末１に送信し、携帯電話端末１に設けられたシナリオ受信手段１１５１がシナリオを受信し、受信されたシナリオを上述したように使用しても良い。また、シナリオ記憶装置１１５０を、例えば地域毎というように複数設け、携帯電話端末１が予め携帯電話端末１に識別情報等で記憶させた１つのシナリオ記憶装置１１５０からシナリオを受信するようにしてもよい。かかる形態は、全ての実施の形態に適用できる。
【０１０７】
また、図６に示すように、メタデータ受信手段１０７、ポリシーメタデータ記憶手段１０９、タイマー１１１、現在時刻メタデータ生成手段１１３、シナリオ記憶手段１１５、制御情報生成手段１１７を、携帯電話端末１内にでなく、携帯電話端末１と通信可能な、サービス会社が管理する管理装置１０内に設け、さらにこの管理装置１０には、制御情報生成手段１１７により生成された制御情報を送出する制御情報送出手段１２１を設け、一方の携帯電話端末１には、制御情報送出手段１２１から送出された制御情報を受信して制御手段１１９に与える制御情報受信手段１２３を設けてもよい。
【０１０８】
かかる形態では、制御情報生成手段１１７により生成された制御情報が制御情報送出手段１２１から送出され、送出された制御情報が制御情報受信手段１２３で受信されて制御手段１１９に与えられること以外は、図１の場合と同様に作用する。
【０１０９】
図６の実施の形態は、管理装置１０を家庭内の据え置き型コンピュータとし、各ＩＤ送出装置２を、冷蔵庫、テーブル、玄関などに設けることで、家庭内での移動先で発光素子１０１を制御することができる。
【０１１０】
また、メタデータ管理装置３を領域メタデータについての管理を行うものと、状態メタデータについての管理を行うものに分けてもよい。
【０１１１】
以上説明したように、第１の実施の形態によれば、携帯電話端末１は、制御対象である発光素子１０１を制御する移動可能な制御装置であり、移動先に設けられたＩＤ送出装置２から該装置に対応する同一または同種の領域を示す領域ＩＤを受信するＩＤ受信手段１０３と、受信された領域ＩＤを送出するＩＤ送出手段１０５と、送出された領域ＩＤを基にメタデータ検索手段３７で検索されてメタデータ送出手段３９から送出され、メタデータ受信手段１０７で受信された領域メタデータを基に生成された制御情報により制御対象である発光素子１０１を制御する制御手段１１９を備えるので、移動先に移動したときに該移動先に対応する同一または同種の領域に応じて発光素子１０１を制御することができる。
【０１１２】
また、特に、図１の形態では、送出された領域ＩＤを基に検索されて送出された領域メタデータを受信するメタデータ受信手段１０７と、領域メタデータを基に制御情報を生成する制御情報生成手段１１７とを備えるので、かかる手段を備える、図６の管理装置１０等を別に設ける必要がない。
【０１１３】
また、メタデータ受信手段１０７は、領域の状態を示す状態メタデータを受信する手段でもあり、メタデータ受信手段１０７で受信された状態メタデータを基に生成された制御情報により制御対象（１０１）を制御するので、移動先に移動したときに該移動先に対応する同一または同種の領域の状態に応じて発光素子１０１を制御することができる。
【０１１４】
また、制御の方針を示すポリシーメタデータを記憶するポリシーメタデータ記憶手段１０９または当該ポリシーメタデータを受信するポリシーメタデータ受信手段１０９１を備え、記憶または受信されたポリシーメタデータを基に生成された制御情報により制御対象を制御するので、制御の方針に従って、発光素子１０１を制御することができる。
【０１１５】
また、現在時刻を示す現在時刻メタデータを生成する現在時刻メタデータ生成手段１１３または当該現在時刻メタデータを受信する現在時刻メタデータ受信手段１１３１を備え、生成または受信された現在時刻メタデータを基に生成された制御情報により制御対象を制御するので、現在時刻に応じて発光素子１０１、すなわち制御対象を制御することができる。
【０１１６】
また、制御情報に含まれる制御内容（オンするまたはオフする）を含んだシナリオを記憶するシナリオ記憶手段１１５または当該シナリオを受信するシナリオ受信手段１１５１を備え、記憶または受信されたシナリオを基に生成された制御情報により制御対象を制御するので、シナリオに従って、発光素子１０１を制御することができる。
【０１１７】
また、移動先に設けられたＩＤ送出装置２に含まれ、該装置２に対応する同一または同種の領域を示す領域ＩＤを制御装置に送出する領域ＩＤ送出手段２５と、送出された領域ＩＤを基に検索された領域メタデータを制御装置である携帯電話端末１に送出するメタデータ送出手段３９とを備えたものを制御支援システムとすれば、移動先に移動したときに該移動先に対応する同一または同種の領域に応じて発光素子１０１を制御することを、かかる制御支援システムにより支援することができる。
【０１１８】
また、さらに、移動先のＩＤ送出装置２に含まれ、当該領域の状態を示す状態ＩＤを送出する状態ＩＤ送出手段２６を備え、メタデータ送出手段３９は、送出された領域ＩＤと状態ＩＤのそれぞれを基に検索された領域メタデータと状態メタデータを制御装置である携帯電話端末１に送出する手段でもあるので、移動先に移動したときに該移動先に対応する同一または同種の領域とその状態に応じて発光素子１０１を制御することを、かかる制御支援システムにより支援することができる。
【０１１９】
ところで、第１の実施の形態では、サービスエリアの各所にＩＤ送出装置２がなければ、移動先で携帯電話端末１が、ＩＤ送出装置２に対応する領域に応じた制御を行うことができなかったが、次は、１カ所に管理装置等を設けることで同様の制御を行う場合を説明する。
【０１２０】
［第２の実施の形態］
図７は、本発明の第２の実施の形態に係るコンピュータシステムの構成を示す図である。なお、第１の実施の形態を構成する手段と同等の機能を有する手段には同一符号、同一名称を付し、詳細説明を省くことにする。また、領域ＩＤ等の名称とその定義についても第１の実施の形態のものと同様である。
【０１２１】
第２の実施の形態では、携帯電話端末１Ａとメタデータ管理装置３と位置領域対応記憶装置４と管理装置１０Ａとシナリオ記憶装置１１５０とが用いられる。
【０１２２】
携帯電話端末１Ａは、禁煙を促す発光素子１０１と、管理装置１０Ａからの制御情報を受信する制御情報受信手段１２３と、受信された制御対象により発光素子１０１を制御する制御手段１１９とを有し、さらに、携帯電話端末１Ａの位置を示す位置情報をＧＰＳ衛星５（実際は４機以上）からの信号を基に生成する位置情報生成手段１２５と、その生成された位置情報を送出する位置情報送出手段１２７を備える。
【０１２３】
一方、管理装置１０Ａは、ＩＤ送出手段１０５と、メタデータ受信手段１０７と、タイマー１１１と、現在時刻メタデータ生成手段１１３と、制御情報生成手段１１７と、制御情報を携帯電話端末１Ａへ送出する制御情報送出手段１２１と、シナリオ記憶手段１１５を備えるシナリオ記憶装置１１５０からシナリオを受信するシナリオ受信手段１１５１とを備え、さらに、携帯電話端末１Ａからの位置情報を受信する位置情報受信手段１２９と、その位置情報を基に領域ＩＤを検索する領域ＩＤ検索手段１３１を備え、サービス会社により運営される。
【０１２４】
また、新たに設けられた位置領域対応記憶装置４は、位置情報と該位置情報により示される位置を含む同一または同種の領域を示す領域ＩＤとを対応づけて記憶する位置領域対応記憶手段４１とを備える。
【０１２５】
次に、第２の実施の形態の作用を説明する。
【０１２６】
通話者に携行された携帯電話端末１が、横浜駅構内に移動すると、位置情報生成手段１２５は、ＧＰＳ衛星５からの信号を基に、現在位置を示す位置情報を生成する。位置情報送出手段１２７は、生成された位置情報をネットワークを介して管理装置１０Ａに送出する。
【０１２７】
管理装置１０Ａの位置情報受信手段１２９は、携帯電話端末１Ａからの位置情報を領域ＩＤ検索手段１３１に与える。領域ＩＤ検索手段１３１は、与えられた位置情報を位置領域対応記憶装置４にネットワークを介して送出する。
【０１２８】
位置領域対応記憶装置４は、送出された位置情報を受信し、受信された位置情報に対応する領域ＩＤを位置領域対応記憶手段４１から読み出し、読み出した領域ＩＤをネットワークを介して管理装置１０Ａに送出する。
【０１２９】
管理装置１０Ａの領域ＩＤ検索手段１３１は、位置領域対応記憶装置４からの領域ＩＤを受信してＩＤ送出手段１０５に与える。
【０１３０】
これ以降の作用は、第１の実施の形態と同様なので、説明を省略する。なお、ポリシーメタデータ記憶手段１０９やポリシーメタデータ記憶装置１０９０を設けた場合も同様である。
【０１３１】
また、位置領域対応記憶手段４１を設けずに、管理装置１０Ａからの複数の位置情報を基に領域ＩＤを推定する手段と送出する手段を位置領域対応記憶装置４に設けてもよい。例えば、電車やバスの経路上の位置情報が連続的に得られた場合に、その電車やバスに対応する領域ＩＤを求めることができる。
【０１３２】
また、上記推定を行って領域ＩＤをＩＤ送出手段１０５に与える手段を管理装置１０Ａに設けてもよい。
【０１３３】
以上説明したように、第２の実施の形態によれば、携帯電話端末１Ａは、発光素子１０１を制御する移動可能な制御装置であり、移動先の位置を示す位置情報を生成する位置情報生成手段１２５と、生成された位置情報を送出する位置情報送出手段１２７と、送出された位置情報により示される位置を含む同一または同種の領域を示す領域ＩＤがメタデータ管理装置３に送出された場合の当該送出された領域ＩＤを基に検索されて送出及び受信された領域メタデータを基に生成された制御情報により制御対象である発光素子１０１を制御する制御手段１１９とを備えるので、移動先に移動したときに該移動先に対応する同一または同種の領域を位置情報から求めて当該領域に応じて発光素子１０１を制御することができる。
【０１３４】
また、管理装置１０Ａは、制御装置である携帯電話端末１Ａから送出された位置情報を受信する位置情報受信手段１２９と、受信された位置情報により示される位置を含む同一または同種の領域を示す領域ＩＤを求める領域ＩＤ検索手段１３１と、求められた領域ＩＤを送出するＩＤ送出手段１０５と、送出された領域ＩＤを基に検索されて送出及び受信された領域メタデータを基に生成された制御情報を制御装置である携帯電話端末１Ａに送出する制御情報送出手段１２１とを備える制御支援システムであるので、移動先に移動したときに該移動先に対応する同一または同種の領域を位置情報から求めて当該領域に応じて発光素子１０１を制御することを、かかる制御支援システムにより支援することができる。
【０１３５】
第１及び第２の実施の形態では、発光素子１０１の点灯／消灯を制御内容として説明してきたが、情報が複数ある場合に情報を選択することも制御である。以下、同一または同種の領域に応じて情報の選択を行う場合を説明する。
【０１３６】
［第３の実施の形態］
図８は、本発明の第３の実施の形態に係るコンピュータシステムの構成を示す図である。なお、第１や第２の実施の形態を構成する手段と同等の機能を有する手段には同一符号、同一名称を付し、詳細説明を省くことにする。また、領域ＩＤ等の名称とその定義についても第１や第２の実施の形態のものと同様である。
【０１３７】
第３の実施の形態では、携帯電話端末１Ｂとサービスエリア各所のＩＤ送出装置２とメタデータ管理装置３と情報選択装置６と情報送出装置７とシナリオ記憶装置１１５０とが用いられる。
【０１３８】
携帯電話端末１Ｂは、ＩＤ受信手段１０３と、ＩＤ送出手段１０５と、メタデータ受信手段１０７と、タイマー１１１と、現在時刻メタデータ生成手段１１３と、制御情報生成手段１１７と、制御情報送出手段１２１と、シナリオ記憶手段１１５を備えるシナリオ記憶装置１１５０からシナリオを受信するシナリオ受信手段１１５１とを備える。
【０１３９】
一方、新たに設けられた情報選択装置６は、情報を送出する情報送出装置７からネットワークを介して送出される複数の情報を受信する情報受信手段６１と、制御情報受信手段１２３と、制御情報受信手段１２３で受信された制御情報により、情報受信手段６１で受信された複数の情報からの情報の選択を行う情報選択手段６３とを備える。
【０１４０】
次に、第３の実施の形態の作用を説明する。
【０１４１】
なお、制御情報送出手段１２１から制御情報が送出されるまでの処理は、図６に示した実施の形態の場合と同様なので、説明を省略する。
【０１４２】
情報選択装置６の制御情報受信手段１２３は、制御情報をネットワークを介して受信し、情報選択手段６３に与える。情報選択手段６３は、与えられた制御情報により、情報受信手段６１で受信された複数の情報からの情報の選択を行い、場合によっては、選択された情報を表示等する。
【０１４３】
情報送出装置７から送出され情報選択装置６で受信される情報を、例えば、ウェブページを表示するための情報、音楽を再生するための情報、コンピュータを動作させるプログラムコードなどにして実施することができる。
【０１４４】
以上説明したように、第３の実施の形態によれば、情報選択装置６は、複数の情報を受信する情報受信手段６１と、移動可能な情報選択支援装置である携帯電話端末１Ｂの移動先に設けられたＩＤ送出装置２に対応する同一または同種の領域を示す領域ＩＤが送出及び受信された場合の当該領域ＩＤを基にメタデータ管理装置３で領域メタデータが検索、送出及び受信された場合の当該領域メタデータを基に生成された制御情報を受信する制御情報受信手段１２３と、受信された制御情報により複数の情報からの情報の選択を行う情報選択手段６３とを備えるので、移動先に移動したときに該移動先に対応する同一または同種の領域に応じて情報の選択を行うことができる。
【０１４５】
また、携帯電話端末１Ｂは、移動先に設けられたＩＤ送出装置２から該装置に対応する同一または同種の領域を示す領域ＩＤを受信するＩＤ受信手段１０３と、受信された領域ＩＤを送出するＩＤ送出手段１０５と、送出された領域ＩＤを基にメタデータ管理装置３で検索されて送出及び受信された領域メタデータを基に制御情報を生成する制御情報生成手段１１７と、生成された制御情報を情報選択装置６に送出する制御情報送出手段１２１とを備える情報選択支援装置であるので、移動先に移動したときに該移動先に対応する同一または同種の領域に応じて情報の選択を行うことを、かかる制御支援装置により支援することができる。ところで、第１ないし第３の実施の形態では、発光素子１０１の点灯／消灯や情報選択を制御内容として説明したが、本発明はあらゆる制御に利用可能である。
【０１４６】
例えば、図９（ａ）に示すように、職場から自宅に帰宅した場合は、自宅に設けられたＩＤ送出装置２から領域ＩＤが携帯電話端末１に送信され、領域ＩＤはインターネットを介してメタデータ管理装置３へ送信される。メタデータ管理装置３は、例えば「転送モードを自宅用にする」という領域メタデータを携帯電話端末１に送信する。携帯電話端末１は、シナリオと当該領域メタデータを基に「発番号○○○（友人）からの電話は着信させ、一方、発番号×××（上司）からの電話は留守番電話センターに着信させる」という設定（制御）を行う。この場合、発番号などはポリシーメタデータに記述しておく。以上の設定により携帯電話端末１は、友人による発信に伴い、発番号○○○が通知されると呼び出し音を鳴らす。一方、上司による発信に伴い、発番号×××が通知されると携帯電話端末１は呼び出し音を鳴らさずに、留守番電話センターへの着信指示を応答し、これにより留守番電話センターへの着信がなされる。
【０１４７】
また、図９（ｂ）に示すように、コンサートホールの会場内では、会場内に設けられたＩＤ送出装置２から領域ＩＤが携帯電話端末１に送信され、領域ＩＤはインターネットを介してメタデータ管理装置３へ送信される。メタデータ管理装置３は、例えば「会場内」という領域メタデータを携帯電話端末１に送信する。携帯電話端末１は、シナリオに「会場内ではマナーモード（振動するだけのモード）に、ロビーでは鳴動モードにする」とあり、しかも「会場内」という領域メタデータを受信したので、呼び出しモードをマナーモードに設定する。
【０１４８】
一方、コンサートホールのロビーでは、ロビー内に設けられたＩＤ送出装置２から領域ＩＤが携帯電話端末１に送信され、領域ＩＤはインターネットを介してメタデータ管理装置３へ送信される。メタデータ管理装置３は、例えば「ロビー」という領域メタデータを携帯電話端末１に送信する。携帯電話端末１は、シナリオに「会場内ではマナーモードに、ロビーでは鳴動モードにする」とあり、しかも「ロビー」という領域メタデータを受信したので、呼び出しモードを鳴動モードに設定する。
【０１４９】
そして、コンサートホールの会場内に戻ったときには、再びマナーモードとなるのである。
【０１５０】
ところで、第１ないし第３の実施の形態では、領域または領域と状態に応じた制御を行ったが、状態のみに応じた制御を行うことができる。
【０１５１】
例えば、制御対象（例えば、禁煙を促す発光素子、通信機能）を制御する制御装置（例えば携帯電話端末）に、装置（例えば、学校に設けられた装置、通信会社に設けられた装置）から、状態が変化しうる対象（例えば、重要な来賓の人物、交換装置）についての現在の状態（例えば、健康状態、輻輳状態）を示す状態ＩＤをネットワークを介して受信する手段と、受信された状態ＩＤをネットワークへ送出する手段と、送出された状態ＩＤを基に、例えばメタデータ管理装置３で検索されて送出及び受信された状態メタデータを基に生成された制御情報により、発光素子１０１等の制御対象を制御する手段とを設けると、状態が変化しうる対象状態に応じた制御が可能になる。
【０１５２】
また、この制御装置は、メタデータ管理装置３から送出された状態ＩＤを基に検索されて送出された状態メタデータを受信する手段と、状態メタデータを基に制御情報を生成する手段とを備えてもよい。
【０１５３】
また、この制御装置は、制御情報に含まれる制御内容を含んだシナリオを記憶する手段または当該シナリオを受信する手段を備え、記憶または受信されたシナリオを基に生成された制御情報により制御対象を制御するように構成してもよい。
【０１５４】
また、上記説明した処理を実行させるコンピュータプログラムは、半導体メモリ、磁気ディスク、光ディスク、光磁気ディスク、磁気テープなどのコンピュータ読み取り可能な記録媒体に格納したり、インターネットなどの通信網を介して伝送させて、広く流通させることができる。
【０１５５】
また、複数のサービス会社によりメタデータ管理装置３等の装置管理を分担してもよい。
【０１５６】
【発明の効果】
以上説明したように、本発明によれば、移動先に設けられた装置から該装置に対応する同一または同種の領域を示す領域ＩＤを受信し、受信された領域ＩＤを送出し、送出された領域ＩＤを基に検索されて送出及び受信された領域メタデータを基に生成された制御情報により制御対象を制御するので、移動先に移動したときに該移動先に対応する同一または同種の領域に応じて制御対象を制御することができる。
【０１５７】
また、移動先に設けられた装置から、該装置に対応する同一または同種の領域を示す領域ＩＤを制御装置に送出し、送出された領域ＩＤを基に検索された領域メタデータを制御装置に送出するので、移動先に移動したときに該移動先に対応する同一または同種の領域に応じて制御対象を制御することを支援することができる。
【０１５８】
また、移動先の位置を示す位置情報を生成し、生成された位置情報を送出し、送出された位置情報により示される位置を含む同一または同種の領域を示す領域ＩＤが送出された場合の当該送出された領域ＩＤを基に検索されて送出及び受信された領域メタデータを基に生成された制御情報により制御対象を制御するので、移動先に移動したときに該移動先に対応する同一または同種の領域を位置情報から求めて当該領域に応じて制御対象を制御することができる。
【０１５９】
また、制御装置から送出された位置情報を受信し、受信された位置情報により示される位置を含む同一または同種の領域を示す領域ＩＤを求め、求められた領域ＩＤを送出し、送出された領域ＩＤを基に検索されて送出及び受信された領域メタデータを基に生成された制御情報を制御装置に送信するので、移動先に移動したときに該移動先に対応する同一または同種の領域を位置情報から求めて当該領域に応じて制御対象を制御することを支援することができる。
【０１６０】
また、複数の情報を受信し、移動可能な情報選択支援装置の移動先に設けられた装置に対応する同一または同種の領域を示す領域ＩＤが送出及び受信された場合の当該領域ＩＤを基に領域メタデータが検索、送出及び受信された場合の当該領域メタデータを基に生成された制御情報を受信し、受信された制御情報により複数の情報からの情報の選択を行うので、移動先に移動したときに該移動先に対応する同一または同種の領域に応じて情報の選択を行うことができる。
【０１６１】
また、情報を選択する情報選択装置が複数の情報を受信し、移動可能な情報選択支援装置の移動先に設けられた装置に対応する同一または同種の領域を示す領域ＩＤが送出及び受信された場合の当該領域ＩＤを基に領域メタデータが検索、送出及び受信された場合の当該領域メタデータを基に生成された制御情報を受信し、受信された制御情報により複数の情報からの情報の選択を行う場合、移動先に設けられた装置から該装置に対応する同一または同種の領域を示す領域ＩＤを受信し、受信された領域ＩＤを送出し、送出された領域ＩＤを基に検索されて送出及び受信された領域メタデータを基に制御情報を生成し、生成された制御情報を情報選択装置に送出するので、移動先に移動したときに該移動先に対応する同一または同種の領域に応じて情報の選択を行うことを支援することができる。
【図面の簡単な説明】
【図１】本発明の第１の実施の形態に係るコンピュータシステムの構成を示す図である。
【図２】領域メタデータ記憶手段３１の構造と内容を例示する図である。
【図３】状態メタデータ記憶手段３３の構造と内容を例示する図である。
【図４】シナリオを例示する図である。
【図５】第１の実施の形態の応用例を示す図である。
【図６】第１の実施の形態のその他の応用例を示す図である。
【図７】本発明の第２の実施の形態に係るコンピュータシステムの構成を示す図である。
【図８】本発明の第３の実施の形態に係るコンピュータシステムの構成を示す図である。
【図９】本発明の他の利用形態を示す図である。
【図１０】従来の制御システムの構成を示す図である。
【符号の説明】
１、１Ａ、１Ｂ、１００…携帯電話端末
２…ＩＤ送出装置
３…メタデータ管理装置
４…位置領域対応記憶装置
５…ＧＰＳ衛星
６…情報選択装置
７…情報送出装置
１０、１０Ａ…管理装置
２１…領域ＩＤ記憶手段
２２…状態ＩＤ記憶手段
２３…領域ＩＤ設定手段
２４…状態ＩＤ生成手段
２５…領域ＩＤ送出手段
２６…状態ＩＤ送出手段
３１…領域メタデータ記憶手段
３３…状態メタデータ記憶手段
３５、１０３…ＩＤ受信手段
３７…メタデータ検索手段
３９…メタデータ送出手段
４１…位置領域対応記憶手段
６１…情報受信手段
６３…情報選択手段
１０１…発光素子
１０５…ＩＤ送出手段
１０７…メタデータ受信手段
１０９…ポリシーメタデータ記憶手段
１１１…タイマー
１１３…現在時刻メタデータ生成手段
１１５…シナリオ記憶手段
１１７…制御情報生成手段
１１９…制御手段
１２１…制御情報送出手段
１２３…制御情報受信手段
１２５…位置情報生成手段
１２７…位置情報送出手段
１２９…位置情報受信手段
１３１…領域ＩＤ検索手段
３００…制御情報記憶装置
１０９０…ポリシーメタデータ記憶装置
１０９１…ポリシーメタデータ受信手段
１１３０…現在時刻メタデータ生成装置
１１３１…現在時刻メタデータ受信手段
１１５０…シナリオ記憶装置
１１５１…シナリオ受信手段
【図１】
2005012446.tif 000003
【図２】
2005012446.tif 000004
【図３】
2005012446.tif 000005
【図４】
2005012446.tif 000006
【図５】
2005012446.tif 000007
【図６】
2005012446.tif 000008
【図７】
2005012446.tif 000009
【図８】
2005012446.tif 000010
【図９】
2005012446.tif 000011
【図１０】
2005012446.tif 000012